(57)【要約】【課題】  発泡材料からなる断熱材を塗布形成する施工面においても使用することができ、かつ、その場合でも前記発泡材料が吹き付け時に支持部材に付着しないようにする。【解決手段】  ケーブル・管支持具は、固着部材１０と、支持部材２０とを備える。固着部材１０は、施工面Ｗに発泡材料が塗布される前に固着部１１を介して施工面Ｗに固着されると共に、施工面Ｗに発泡材料が塗布されて断熱材Ｈが形成された後は、取付部１２を断熱材Ｈの表面側に臨ませるよう配設する。支持部材２０は、施工面Ｗに発泡材料が塗布されて断熱材Ｈが形成された後、断熱材Ｈの表面側に臨まされた固着部材１０の取付部１２に取付けられて、ケーブルまたは管を支持する。【選択図】  図１
2005172071.tif 000002
【特許請求の範囲】
【請求項１】
発泡材料を塗布して断熱材を形成する建物の壁等の施工面に固着され、ケーブルまたは管を支持するケーブル・管支持具であって、
固着部と取付部とを有し、前記固着部を介して前記施工面に固着される固着部材と、前記固着部材の取付部に取付自在とされると共に前記ケーブルまたは管を支持自在とされる支持部材とを備え、
前記固着部材は、前記施工面に前記発泡材料が塗布される前に前記固着部を介して前記施工面に固着されると共に、前記施工面に前記発泡材料が塗布されて前記断熱材が形成された後は前記取付部を前記断熱材の表面側に臨ませるよう配設し、
前記支持部材は、前記施工面に前記発泡材料が塗布されて前記断熱材が形成された後、前記断熱材の表面側に臨まされた前記固着部材の取付部に取付けられて、前記ケーブルまたは管を支持する
ことを特徴とするケーブル・管支持具。
【請求項２】
前記固着部材の取付部は、先端部が前記施工面に形成された断熱材の表面から突出するよう前記固着部材に設けられ、
前記支持部材は、前記断熱材の表面から突出する前記固着部材の取付部の先端部に取付けられることを特徴とする請求項1記載のケーブル・管支持具。
【請求項３】
前記支持部材は、ケーブルまたは管を結び止めて支持自在な線状素材からなり、
前記固着部材の取付部は、前記先端部に、前記支持部材を挿通して取付自在な挿通孔を有する
ことを特徴とする請求項２記載のケーブル・管支持具。
【請求項４】
前記支持部材は、前記ケーブルまたは管を係止して支持自在なフック状またはリング状をなし、
前記固着部材の取付部は、前記先端部に、前記支持部材を係止して取付自在な係止部を有する
ことを特徴とする請求項２記載のケーブル・管支持具。
【請求項５】
更に、前記固着部材の取付部の先端部を覆うよう前記固着部材の取付部の先端部に着脱自在に取付けられるカバー部材を備えることを特徴とする請求項２乃至４のいずれか１項記載のケーブル・管支持具。
【請求項６】
更に、前記施工面に断熱材を塗布形成するときに前記取付部を前記発泡材の付着から保護すると共に、前記施工面への断熱材の塗布形成後にその形状に対応する凹部空間を形成して、前記施工面に形成された断熱材の表面より内側の位置で前記固着部材の取付部を前記断熱材の表面側に臨ませるカバー部材を備え、
前記支持部材は、前記断熱材の表面側でケーブルまたは管を支持自在な状態で、前記断熱材の表面の内側に位置する前記固着部材の取付部に取付けられることを特徴とする請求項1記載のケーブル・管支持具。
【請求項７】
発泡材料を塗布して断熱材を形成する建物の壁等の施工面に固着され、ケーブルまたは管を支持するケーブル・管支持具の固着部材であって、
固着部と取付部とを有し、前記施工面に前記発泡材料が塗布される前に前記固着部を介して前記施工面に固着されると共に、前記施工面に前記発泡材料が塗布されて前記断熱材が形成された後は前記取付部を前記断熱材の表面側に臨ませるよう配設し、
前記施工面に前記発泡材料が塗布されて前記断熱材が形成された後、前記ケーブルまたは管を支持する支持部材を、前記断熱材の表面側に臨まされた前記取付部に取付けて前記支持部材により前記ケーブルまたは管を支持できるようにする
ことを特徴とするケーブル・管支持具の固着部材。
【請求項８】
固着部と取付部とを有し、前記固着部を介して前記施工面に固着される固着部材と、前記固着部材の取付部に取付自在とされると共に前記ケーブルまたは管を支持自在とされる支持部材とにより、ケーブルまたは管を支持するケーブル・管支持方法であって、
前記固着部材を前記施工面に固着する固着工程と、
前記固着工程後、前記施工面に前記発泡材料を塗布して断熱材を形成するときに、前記固着部材の取付部を前記断熱材の表面側に臨ませるよう配設した状態で、前記施工面に前記発泡材料を塗布して前記断熱材を形成する塗布工程と、
前記塗布工程後、前記断熱材の表面側に臨まされた前記固着部材の取付部に前記支持部材を取付ける取付工程と、
前記取付工程後、前記支持部材によりケーブルまたは管を支持する支持工程と
を備えることを特徴とするケーブル・管支持方法。
【発明の詳細な説明】
【技術分野】
【０００１】
本発明は、建物の天井面や壁面等の施工面に固着され、配線等のケーブル類や配管等の管類を支持するケーブル・管支持具に関し、特に、発泡体からなる断熱材を施工面に塗布形成する場合に好適に使用することができるケーブル・管支持具、ケーブル・管支持具の固着部材及びかかるケーブル・管支持具を使用したケーブル・管支持方法に関する。
【背景技術】
【０００２】
従来、建物の二重天井内や壁内等には、ケーブル等の配線類や配管等の管類が、ケーブル・管支持具を使用して配設される。例えば、建物の外壁と内壁（室内壁）との間の空間にケーブルを配設する場合、室内壁の形成前、前記ケーブルの配線経路に沿って、ケーブル支持具を外壁の内面側にホットメルト接着剤や他の接着剤等で固着し、かかるケーブル支持具によりケーブルを前記外壁内面に沿って支持する。この種のケーブル支持具に関する技術として、例えば、特許文献１に記載の技術がある。
【特許文献１】特開２００２−２５２９１１号公報
【０００３】
特許文献１には、天井その他の取付面に接着固定される支持部材材（ケーブル支持具）が開示されている。この支持部材材は、取付面に接着される接着部と、ケーブル等の配線材を保持するための保持部とを備え、保持部により配線材を支持する。前記接着部は、略方形平板状をなし、その上面である接着面に、剥離紙付ホットメルト接着剤が塗布されている。また、前記保持部は、配線材を結び止めることができる針金、紐、帯等の線状材（バインド線）からなり、接着部の下面に設けた止部に止着されて下方に垂下している。
【０００４】
一方、前記外壁と内壁との間には、通常、断熱材が層状に配設される。かかる断熱材としては、グラスウールやロックウール等の鉱物繊維系断熱材の他、発泡ポリスチレン、発泡ポリウレタン等の有機系発泡材料や無機系発泡材料からなる発泡体系断熱材がある。このうち、発泡体系断熱材は、発泡材料を予め板状に成形加工したもののほか、建物の現場にて発泡材料を外壁内面に吹き付けて断熱材を層状に塗布するものがある。そして、かかる吹き付けによる断熱材の場合、例えば、発泡ポリウレタン等の発泡材料からなる断熱材料を、充填工具等を使用して、スプレー方式で外壁の内面側に吹き付けて層状に塗布している。
【発明の開示】
【発明が解決しようとする課題】
【０００５】
しかし、特許文献１に記載の技術では、ケーブル支持具を建物の取付面としての外壁に固着した状態で、発泡材料からなる断熱材料を外壁の内面に吹き付けて塗布することになるが、この場合、注意深くケーブル支持具を避けて断熱材料を外壁の内面に吹き付けたとしても、前記断熱材料がケーブル支持具のケーブル支持部材（保持部）であるバインド線等に付着してしまう。このようにケーブル支持具のケーブル支持部材等に断熱材料が付着すると、後でこの付着した断熱材料をケーブル支持具のケーブル支持部材等から除去することが非常に困難となる。そして、断熱材料が付着したままだと、ケーブル支持部材によるケーブルの支持に支障が出てしまう。一方、断熱材料のうち発泡樹脂系断熱材料は、発泡ポリウレタンまたは発泡ポリスチレン等の合成樹脂が主成分とされているが、これらの合成樹脂からなる断熱材料は、ケーブルの外面被覆材としてポリ塩化ビニル（ＰＶＣ）が使用される場合、その外面被覆に悪影響を及ぼすことが確認されている。例えば、前記発泡樹脂系断熱材料からなる断熱材が、ケーブルとして一般的に使用されるＶＶＦケーブル（ビニル絶縁ビニルシースケーブル平型、即ち、塩化ビニル樹脂で絶縁被覆を施したタイプのケーブル）と接触すると、その発泡樹脂と外面被覆のＰＶＣとが化学反応を生じ、ケーブルの絶縁抵抗の低下等の特性低下を招く可能性があると指摘されている。したがって、上記のように、ケーブル・管支持具に断熱材が付着したままだと、ケーブル・管支持具を使用してケーブルや管を支持する際に、ケーブルや管が断熱材と接触することになる。よって、この場合に、上記のように断熱材との接触により問題を生じるような素材からなるケーブルや管、例えば、ＶＶＦケーブルを使用すると、ＶＶＦケーブルが断熱材と接触して、上記不具合を発生する可能性がある。
【０００６】
そこで、本発明は、発泡材料からなる断熱材を塗布形成する施工面においても使用することができ、かつ、その場合でも前記発泡材料が吹き付け時に支持部材に付着することがなく、更に、支持部材によるケーブルや管の支持作業を円滑に行うことができると共に、ケーブルまたは管と断熱材との接触を防止して、接触による不具合を防止することができるケーブル・管支持具、ケーブル・管支持具の固着部材及びかかるケーブル・管支持具を使用したケーブル・管支持方法の提供を課題とする。
【課題を解決するための手段】
【０００７】
請求項１に係るケーブル・管支持具は、発泡材料を塗布して断熱材を形成する建物の壁等の施工面に固着され、ケーブルまたは管を支持するケーブル・管支持具であって、固着部と取付部とを有し、前記固着部を介して前記施工面に固着される固着部材と、前記固着部材の取付部に取付自在とされると共に前記ケーブルまたは管を支持自在とされる支持部材とを備え、前記固着部材は、前記施工面に前記発泡材料が塗布される前に前記固着部を介して前記施工面に固着されると共に、前記施工面に前記発泡材料が塗布されて前記断熱材が形成された後は前記取付部を前記断熱材の表面側に臨ませるよう配設し、前記支持部材は、前記施工面に前記発泡材料が塗布されて前記断熱材が形成された後、前記断熱材の表面側に臨まされた前記固着部材の取付部に取付けられて、前記ケーブルまたは管を支持する。
【０００８】
請求項２に係るケーブル・管支持具では、請求項１の構成において、前記固着部材の取付部は、先端部が前記施工面に形成された断熱材の表面から突出するよう前記固着部材に設けられ、前記支持部材は、前記断熱材の表面から突出する前記固着部材の取付部の先端部に取付けられる。
【０００９】
請求項３に係るケーブル・管支持具は、請求項２の構成において、前記支持部材が、ケーブルまたは管を結び止めて支持自在な線状素材からなり、前記固着部材の取付部は、前記先端部に、前記支持部材を挿通して取付自在な挿通孔を有する。
【００１０】
請求項４に係るケーブル・管支持具は、請求項２の構成において、前記支持部材が、前記ケーブルまたは管を係止して支持自在なフック状またはリング状をなし、前記固着部材の取付部は、前記先端部に、前記支持部材を係止して取付自在な係止部を有する。
【００１１】
請求項５に係るケーブル・管支持具は、請求項２乃至４のいずれかの構成において、更に、前記固着部材の取付部の先端部を覆うよう前記固着部材の取付部の先端部に着脱自在に取付けられるカバー部材を備える。
【００１２】
請求項６に係るケーブル・管支持具は、請求項１の構成において、更に、前記施工面に断熱材を塗布形成するときに前記取付部を前記発泡材の付着から保護すると共に、前記施工面への断熱材の塗布形成後にその形状に対応する凹部空間を形成して、前記施工面に形成された断熱材の表面より内側の位置で前記固着部材の取付部を前記断熱材の表面側に臨ませるカバー部材を備え、前記支持部材は、前記断熱材の表面側でケーブルまたは管を支持自在な状態で、前記断熱材の表面の内側に位置する前記固着部材の取付部に取付けられる。
【００１３】
請求項７に係るケーブル・管支持具の固着部材は、発泡材料を塗布して断熱材を形成する建物の壁等の施工面に固着され、ケーブルまたは管を支持するケーブル・管支持具の固着部材であって、固着部と取付部とを有し、前記施工面に前記発泡材料が塗布される前に前記固着部を介して前記施工面に固着されると共に、前記施工面に前記発泡材料が塗布されて前記断熱材が形成された後は前記取付部を前記断熱材の表面側に臨ませるよう配設し、前記施工面に前記発泡材料が塗布されて前記断熱材が形成された後、前記ケーブルまたは管を支持する支持部材を、前記断熱材の表面側に臨まされた前記取付部に取付けて前記支持部材により前記ケーブルまたは管を支持できるようにする
【００１４】
請求項８に係るケーブル・管支持方法は、固着部と取付部とを有し、前記固着部を介して前記施工面に固着される固着部材と、前記固着部材の取付部に取付自在とされると共に前記ケーブルまたは管を支持自在とされる支持部材とにより、ケーブルまたは管を支持するケーブル・管支持方法であって、前記固着部材を前記施工面に固着する固着工程と、前記固着工程後、前記施工面に前記発泡材料を塗布して断熱材を形成するときに、前記固着部材の取付部を前記断熱材の表面側に臨ませるよう配設した状態で、前記施工面に前記発泡材料を塗布して前記断熱材を形成する塗布工程と、前記塗布工程後、前記断熱材の表面側に臨まされた前記固着部材の取付部に前記支持部材を取付ける取付工程と、前記取付工程後、前記支持部材によりケーブルまたは管を支持する支持工程とを備える。
【発明の効果】
【００１５】
請求項１に係るケーブル・管支持具は、発泡材料からなる断熱材を塗布形成する施工面においても使用することができ、かつ、その場合でも前記発泡材料が吹き付け時に支持部材に付着することがなく、支持部材によりケーブルや管を支持する際に支障がない。更に、請求項１に係るケーブル・管支持具は、支持部材によるケーブルや管の支持作業を円滑に行うことができると共に、ケーブルまたは管と断熱材との接触を防止して、接触による不具合を防止することができる。
【００１６】
請求項２に係るケーブル・管支持具は、請求項１の効果に加え、固着部材の取付部の先端部が施工面の断熱材の表面から突出することで、取付部を断熱材の表面側に臨ませるようにしたため、施工面への発泡材料の塗布時に、発泡材料が取付部に付着することを確実に防止することができる。
【００１７】
請求項３に係るケーブル・管支持具は、請求項２の効果に加え、支持部材を線状素材から構成したため、その構成を簡単にすることができ、かつ、固着部材の取付部への取付作業が容易となる。
【００１８】
請求項４に係るケーブル・管支持具は、請求項２の効果に加え、支持部材をフック状またはリング状としたため、その構成を簡単にすることができ、かつ、係止部を介して固着部材の取付部への容易に取付けることができる。
【００１９】
請求項５に係るケーブル・管支持具は、請求項２乃至４のいずれかの効果に加え、施工面への発泡材料の塗布時に、カバー部材により、固着部材の取付部を発泡材料の付着から完全に保護することができる。
【００２０】
請求項６に係るケーブル・管支持具は、請求項１の効果に加え、施工面への発泡材料の塗布時に、カバー部材により、固着部材の取付部を発泡材料の付着から完全に保護することができる。また、施工面への断熱材の形成後には、凹部空間を介して、支持部材を固着部材の取付部に取付けることができる。
【００２１】
請求項７に係るケーブル・管支持具の固着部材は、請求項１等のケーブル・管支持具に好適に使用することができ、この場合、発泡材料からなる断熱材を塗布形成する施工面においても使用することができ、かつ、その場合でも前記発泡材料が吹き付け時に支持部材に付着することがなく、支持部材によりケーブルや管を支持する際に支障がない。更に、請求項７に係るケーブル・管支持具の固着部材は、支持部材によるケーブルや管の支持作業を円滑に行うことができると共に、ケーブルまたは管と断熱材との接触を防止して、接触による不具合を防止することができる。
【００２２】
請求項８に係るケーブル・管支持方法は、発泡材料からなる断熱材を塗布形成する施工面においても使用することができ、かつ、その場合でも前記発泡材料が吹き付け時に支持部材に付着することがなく、支持部材によりケーブルや管を支持する際に支障がない。更に、請求項１に係るケーブル・管支持具は、支持部材によるケーブルや管の支持作業を円滑に行うことができると共に、ケーブルまたは管と断熱材との接触を防止して、接触による不具合を防止することができる。
【発明を実施するための最良の形態】
【００２３】
以下、本発明を実施するための最良の形態（以下、実施の形態という）を説明する。なお、各実施の形態を通じ、同一の部材、要素または部分には同一の符号を付して、その説明を省略する。
【００２４】
実施の形態１
図１は本発明の実施の形態１に係るケーブル・管支持具を分解した状態を示す斜視図である。
実施の形態１に係るケーブル・管支持具は、発泡材料を塗布して断熱材を形成する建物の壁や天井等の施工面に固着され、前記施工面に塗布形成された断熱材の表面に沿って、ケーブルまたは管を支持するものである。このケーブル・管支持具は、図１に示すように、固着部材１０、支持部材２０及びカバー部材３０を備える。固着部材１０は、固着部１１及び取付部１２を有する。固着部１１は、四角平板状等の所定形状をなし、ホットメルト接着材等の接着剤、ビス等の締結具等を介して、前記施工面の所望位置に固着自在となっている。取付部１２は、固着部１１の表面（施工面への取付側面と反対側面）の略中央に、その表面から突出する略四角柱状となるよう一体形成されている。前記支持部材２０は、前記取付部１２に着脱自在に取付けられて、前記ケーブルまたは管を支持自在となっている。具体的には、前記支持部材２０は、前記取付部１２に取付け自在な線状素材からなる。例えば、支持部材２０の線状素材は、針金等の可塑性金属線材を樹脂被覆した帯状のバインド線とすることができる。或いは、支持部材２０の線状素材として、バインド線以外に、針金等の裸線を樹脂被覆したものや、単なる裸線を使用してもよい。或いは、支持部材２０の線状素材として、柔軟なひも状の素材を使用してもよい。即ち、支持部材２０は、配線・配管材等の吊下げ対象物を支持できる限りにおいて任意の長尺状素材または線状素材により構成することができる。
【００２５】
また、前記取付部１２は、前記施工面に形成される断熱材の厚みより所定長長い柱状に形成され、かかる所定長の先端部を、前記施工面に形成される断熱材の表面から突出する突出部１３としている。更に、前記突出部１３は、幅方向に延び、幅方向左右両側面（図２中の左右両側面）で開口する挿通孔１３ａを貫通形成している。この突出部１３の挿通孔１３ａに前記線状素材からなる支持部材２０を挿通して取付けるようになっている。ここで、前記固着部材１０は、施工面に発泡材料が塗布される前に固着部１１を介して前記施工面に固着されると共に、前記施工面に発泡材料が塗布されて断熱材が形成された後は、前記取付部１２の突出部１３を断熱材の表面側に臨ませるよう配設する。そして、支持部材３０は、前記施工面に発泡材料が塗布されて断熱材が形成された後、前記断熱材の表面側に臨まされた固着部材１０の取付部１２の突出部１３の挿通孔１３ａに取付けられて、ケーブルまたは管を支持する。なお、前記固着部材１０の固着部１１及び取付部１２は、例えば、所定の合成樹脂材料を一体成形して形成することができる。
【００２６】
一方、前記カバー部材３０は、固着部材１０の取付部１２の先端部である前記突出部１３に対して着脱自在に設けられている。カバー部材３０は、前記施工面に固着部１１を介して固着部材１０を固着した後、施工面に発泡材料を塗布するときに、固着部材１０の少なくとも突出部１３、特に、挿通孔１３ａ部分を発泡材料の付着から保護するようになっている。即ち、カバー部材３０は、合成樹脂材料等の所定材料により、取付部１２の突出部１３の外側全体を覆うよう、突出部１３に対応する有底四角筒状に形成され、突出部１３に密嵌して取付自在とされている。また、カバー部材３０は、手指等により取付部１２の突出部１３から取外し自在とされている。このように、カバー部材３０は、固着部材１０の取付部１２に対して随時取付可能及び取外し可能となっている。なお、カバー部材３０は、前記施工面に断熱材を塗布形成する前に固着部材１０の突出部１３に取付けられ、断熱材の塗布形成時に固着部材１０の突出部１３全体（特に挿通孔１3ａ部分）を発泡材料から保護し、その後突出部１３から取外される。よって、カバー部材３０は、前記突出部１３の長さ未満の長さ（高さ）に形成され、施工面に固着部材１０を固着すると共に断熱材を塗布形成したときに、その先端（開口側端）が断熱材の表面から若干離間する。これにより、施工面に断熱材を塗布形成した状態でも、カバー部材３０を固着部材１０の取付部１２から容易に除去可能となっている。
【００２７】
使用方法、作用及び効果
図２は本発明の実施の形態１に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
実施の形態１に係るケーブル・管支持具を使用したケーブル・管の支持方法は、まず、固着工程において、図２（ａ）に示すように、固着部材１０の固着部１１を施工面Ｗに接着剤等により固着する。ここで、実施の形態１に係るケーブル・管支持具を固着する施工面Ｗとしては、断熱材を塗布形成して設けると共に配線や配管を行う施工面であれば、天井面、壁面等、任意の施工面とすることができる。次に、固着工程後、保護工程で、施工面Ｗに発泡材料を塗布するときに固着部材１０の少なくとも突出部１３を発泡材料の付着から保護すべく、固着部材１０の少なくとも突出部１３を外部から覆うよう、固着部材１０の取付部１２の突出部１３にカバー部材３０を取付ける。なお、前記固着工程前に、カバー部材３０を固着部材１０の突出部１３に取付けておいてもよい。次に、保護工程後、塗布工程で、施工面Ｗに発泡材料を塗布して断熱材Ｈを形成するときに、固着部材１０の取付部１２の突出部１３を断熱材Ｈの表面側に臨ませるよう配設した状態で、施工面Ｗに発泡材料を塗布して断熱材Ｈを形成する。即ち、施工面Ｗに発泡材料を所定厚となるよう、例えば、スプレー装置等を使用して吹き付けにより塗布する。ここで、発泡材料としては、発泡ポリスチレン、発泡ポリウレタン等の有機系発泡材料のほか、無機系発泡材料を使用することもできる。このとき、固着部材１０の突出部１３は、カバー部材３０により完全に覆われて保護されているため、施工面Ｗへの発泡材料の吹き付け時に、突出部１３（特に挿通孔１３ａ部分）に発泡材料が飛散して付着することはない。なお、塗布工程で、発泡材料は、固着部材１０の固着部１１とカバー部材３０の基端側部分（図３中上端部）とを完全に覆うよう施工面Ｗに塗布される。
【００２８】
塗布工程後、施工面Ｗに塗布した発泡材料が固化して所定厚の層状をなす断熱材Ｈを形成したら、図２（b）に示すように、取外し工程で、カバー部材３０を手指等により引っ張り、固着部材１０の取付部１２の突出部１３から引き抜いて取外す。なお、施工面Ｗに塗布した発泡材料が固化して所定厚の層状をなす断熱材Ｈを形成する前に、カバー部材３０を固着部材１０の取付部１２から取外すことも可能である。このとき、断熱材Ｈの表面から、固着部材１０の取付部１２の突出部１３の全体が突出し、その挿通孔１３ａが外部に露出している。即ち、固着部材１０の取付部１２は、先端部である突出部１３が施工面Ｗに形成された断熱材Ｈの表面から突出するような長さで固着部材１３に設けられることにより、断熱材Ｈの表面側に臨まされる。次に、取外し工程後、取付工程で、断熱材Ｈの表面側に臨まされた固着部材１０の取付部１２の突出部１３に支持部材２０を取付ける。即ち、支持部材２０を、固着部材１０の突出部１３の挿通孔１３ａに挿通して取付部１２の突出部１３に取付ける。このとき、支持部材２９は、断熱材Ｈの表面から突出する固着部材１０の取付部１２の先端部である突出部１３に取付けられるため、その取付作業が容易である。次に、取付工程後、支持工程で、固着部材１０の線状の支持部材２０によりケーブルまたは管を結び止めて支持する。このとき、実施の形態１に係るケーブル・管支持具は、発泡材料からなる断熱材Ｈを塗布形成する施工面Ｗにおいても使用することができ、かつ、その場合でも前記発泡材料が吹き付け時に固着部材１０の支持部材２０に付着することがないため、支持部材２０に本来の機能を発揮させることができ、支持部材２０によるケーブルや管の支持作業を円滑に行うことができる。また、実施の形態１のケーブル・管支持具は、発泡材料からなる断熱材Ｈを塗布形成する施工面Ｗにおいても使用することができる。即ち、ケーブル・管支持具の支持部材２０等に断熱材が付着することがなく、ケーブル・管支持具を使用してケーブルや管を支持する際に、ケーブルや管が断熱材と接触することがない。よって、ケーブルや管が断熱材Ｈと接触することがなく、上記のような断熱材との接触による問題を生じることがない。
【００２９】
実施の形態２
図３は本発明の実施の形態２に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
実施の形態２に係るケーブル・管支持具は、図３に示すように、固着部材４０、支持部材５０及びカバー部材３０を備える。固着部材４０は、固着部１１及び取付部４２を有する。取付部４２は、実施の形態１の取付部１２と同様、固着部１１の表面の略中央から突出する略四角柱状となるよう固着部１１に一体形成されている。支持部材５０は、前記取付部４２に着脱自在に取付けられて、ケーブルまたは管を支持自在となっている。具体的には、支持部材５０は、ケーブルまたは管を係止して支持自在なリング状をなしている。詳細には、支持部材５０は、支持部５１、一対の挿通部５２及び一対の掛止部５３を合成樹脂等の所定材料により一体形成している。支持部５１は、周方向一部を開放した略円形リング状をなし、ケーブルや管を内部に挿通して支持自在となっている。また、挿通部５２は、支持部５１の開放部分の両端からそれぞれ略放射方向外方に突出する棒状をなす。更に、掛止部５３は、一対の挿通部５２の先端と略直交するようそれぞれ外方に延びる。なお、支持部材５０の支持部５１は、配線・配管材等の吊下げ対象物を支持できる限りにおいて任意の略リング状とすることができる。或いは、支持部材５０の支持部５１は、リング状以外に、フック状とすることもできる。
【００３０】
一方、固着部材４０の取付部４２は、前記施工面に形成される断熱材の厚みより所定長長い柱状に形成され、かかる所定長の先端部を、前記施工面に形成される断熱材の表面から突出する突出部４３としている。突出部４３には、実施の形態１と同様にして、カバー部材３０を着脱自在に取付可能である。更に、固着部材４０の取付部４２は、先端部の突出部４３に、挿通孔４３ａ及び一対の掛止孔４３ｂを形成している。前記取付部４２の挿通孔４３ａは、取付部４２の先端面（図３中下端面）の略中心から軸心方向に延び、掛止孔４３ｂは、突出部４３部分において前記挿通孔４３ａと略直交するようそれぞれ外方に延びている。そして、図３（ｂ）に示すように、前記支持部材５０の掛止部５３を挿通部５２に対して弾性変形して取付部４２の挿通孔４２ａに挿通し、前記掛止部５３を前記取付部４２の掛止孔４２ｂの位置で弾性復帰して掛止孔４２ｂに挿着することにより、支持部材５０を取付部４２に取付けできるようになっている。ここで、前記取付部４２の掛止孔４３ｂにより、支持部材５０の掛止部５４を係止（掛止）して取付自在な係止部が構成されている。なお、取付部４２の掛止孔４３ｂは、図３では、突出部４３の幅方向左右両側面（図３中の左右両側面）で開口するよう図示されているが、突出部４３の両側面の手前まで延び、先端を閉塞した孔として形成してもよい。また、支持部材５０を取付部４２（突出部４３）に取付ける構成は、上記構成以外に、突出部４３に支持部材５０を（スナップフィット等により）弾性的に嵌着または挿着して係止自在とする限りにおいて、任意の構成とすることができる。実施の形態２に係るケーブル・管支持具も、実施の形態１と同様にして、断熱材Ｈを形成する施工面Ｗに固着して、ケーブルまたは管の支持の用途に使用することができる。
【００３１】
実施の形態３
図４は本発明の実施の形態３に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
実施の形態３に係るケーブル・管支持具は、図４に示すように、固着部材６０、支持部材７０及びカバー部材８０を備える。固着部材６０は、固着部１１及び取付部６２を有する。取付部６２は、固着部１１の表面の略中央から突出する略円柱状となるよう固着部１１に一体形成されている。支持部材７０は、前記取付部６２に着脱自在に取付けられて、ケーブルまたは管を支持自在となっている。具体的には、支持部材７０は、ケーブルまたは管を係止して支持自在なリング状をなしている。詳細には、支持部材７０は、支持部７１及び雄ねじ７２を合成樹脂等の所定材料により一体形成している。支持部７１は、略円形リング状をなし、ケーブルや管を内部に挿通して支持自在となっている。また、雄ねじ７２は、支持部７１から略放射方向外方に突出する。なお、支持部材７０は、配線・配管材等の吊下げ対象物を支持できる限りにおいて任意の略リング状とすることができる。或いは、支持部材７０の支持部７１は、リング状以外に、フック状とすることもできる。
【００３２】
一方、固着部材６０の取付部６２は、前記施工面に形成される断熱材の厚みより所定長長い柱状に形成され、かかる所定長の先端部を、前記施工面に形成される断熱材の表面から突出する突出部６３としている。また、前記カバー部材８０は、固着部材６０の取付部６２の突出部６３に対応する有底円筒状をなし、実施の形態１のカバー部材３０と同様にして、固着部材６０の突出部６３に対して着脱自在に取付けられる。更に、固着部材６０の取付部６２は、軸心方向に延びる雌ねじ６２ａを形成している。そして、図４（ｂ）に示すように、前記支持部材７０の雄ねじ７２を取付部６２の雌ねじ６２ａに螺入することにより、支持部材７０を取付部６２に取付けできるようになっている。ここで、前記取付部６２の雌ねじ６２ａにより、支持部材７０の雄ねじ７２を係止（螺合）して取付自在な係止部が構成されている。実施の形態３に係るケーブル・管支持具も、実施の形態１と同様にして、断熱材Ｈを形成する施工面Ｗに固着して、ケーブルまたは管の支持の用途に使用することができる。
【００３３】
実施の形態４
図５は本発明の実施の形態４に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
実施の形態４に係るケーブル・管支持具は、実施の形態２に係るケーブル・管支持具からカバー部材３０を省略した点を除き、実施の形態２に係るケーブル・管支持具と同一の構成である。即ち、実施の形態４では、施工面Ｗに断熱材Ｈを塗布形成するときに、固着部材４０の取付部４２の突出部４３をカバー部材３０等により保護しない。この場合でも、突出部４３が施工面Ｗの断熱材Ｈから所定長突出するため、通常の作業手順で発泡材料を施工面Ｗに吹き付け塗布する限り、取付部４２の挿通孔４３ａ（特に、挿通孔の開口端）に発泡材料が付着して、取付部４２に支持部材５０を取付不能となるような不具合は発生しない。しかし、実施の形態２のように、施工面Ｗに断熱材Ｈを塗布形成するときに、固着部材４０の取付部４２の突出部４３をカバー部材３０で保護すれば、取付部４２の挿通孔４３ａ（特に、挿通孔の開口端）に発泡材料が付着することを完全に防止できるという効果がある。なお、上記実施の形態３においても、実施の形態４と同様、カバー部材を省略して構成してもよい。
【００３４】
実施の形態５
図６は本発明の実施の形態５に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
上記実施の形態１〜４に係るケーブル・管支持具は、固着部材１０，４０，６０の取付部１２，４２，６２の先端部である突出部１３，４３，６３を施工面Ｗの断熱材Ｈの表面から所定長突出させることにより、取付部１２，４２，６２の先端部（突出部１３，４３，６３）を断熱材Ｈの表面側に臨ませている。これに対し、実施の形態５に係るケーブル・管支持具は、固着部材９０の取付部９２を断熱材Ｈの表面側に臨ませるために、図６に示す構成を採用する。具体的には、実施の形態５に係るケーブル・管支持具は、固着部材９０、支持部材２０及びカバー部材１００を備える。固着部材９０は、固着部１１及び取付部９２を有する。取付部９２は、固着部１１の表面の略中央に、その表面から突出する略四角ブロック状となるよう一体形成されている。また、前記取付部９２は、幅方向に延び、幅方向左右両側面（図６中の紙面と直交する方向の両側面）で開口する挿通孔９２ａを貫通形成している。この取付部９２の挿通孔９２ａに前記線状素材からなる支持部材２０を挿通して取付けるようになっている。
【００３５】
一方、前記カバー部材１００は、固着部材９０に対して着脱自在に設けられている。カバー部材１００は、前記施工面Ｗに固着部１１を介して固着部材９０を固着した後、施工面Ｗに発泡材料を塗布するときに、固着部材９０の少なくとも取付部９２を発泡材料の付着から保護するようになっている。即ち、カバー部材１００は、合成樹脂材料等の所定材料により、軸心方向（長さ方向）両端を開口した四角筒状となるよう形成されている。また、カバー部材１００は、その一端部（図６中上端部）の内周面の形状及び寸法が、固着部材９０の取付部９２の外周面の形状及び寸法と略一致するよう形成されている。そして、カバー部材１００の一端部の内周面を固着部材９０の取付部９２の外周面に略密接した状態で外嵌（密嵌）することにより、カバー部材１００を取付部９２に取付けるようになっている。一方、カバー部材１００は、手指等により他端側を把持して引っ張ることにより、固着部材９０の取付部９２から引き抜いて離脱できるようになっている。なお、カバー部材１００は、断熱材Ｈが施工面Ｗに塗布形成された状態でも取付部９２から取外可能となっている。即ち、実施の形態５では、前記カバー部材１００が、施工面Ｗに断熱材Ｈを塗布形成するときに前記取付部９２を発泡材の付着から保護すると共に、施工面Ｗへの断熱材Ｈの塗布形成後にその形状に対応する凹部空間Ｓを形成して、施工面Ｗに形成された断熱材Ｈの表面より内側の位置で前記固着部材９０の取付部９２を断熱材Ｈの表面側に臨ませるようになっている。そして、支持部材２０は、断熱材Ｈの表面側でケーブルまたは管を支持自在な状態で、前記凹部空間Ｓを介して断熱材Ｈの表面の内側に位置する固着部材９０の取付部９２に取付けられる。実施の形態５に係るケーブル・管支持具も、実施の形態１と同様にして、断熱材Ｈを形成する施工面Ｗに固着して、ケーブルまたは管の支持の用途に使用することができる。
【００３６】
ところで、上記各実施の形態では、上記各構成の固着部材１０，４０，６０，９０を使用したが、本発明は、施工面に発泡材料が塗布される前に固着部を介して施工面に固着されると共に、施工面に発泡材料が塗布されて断熱材が形成された後は取付部を断熱材の表面側に臨ませるよう配設できる限りにおいて、その他の任意の構成の固着部材を使用することができる。例えば、固着部材１０，４０，６０の取付部１２，４２，６２を略四角柱状とする代わりに、略円柱状としたり、他の角形柱状としたりすることもできる。また、固着部材の取付部は、支持部材を取付自在とする限りにおいて、支持部材の構成に対応して任意の構成とすることができる。
【００３７】
更に、上記各実施の形態では、ケーブルまたは管を支持する支持部材として、線状素材からなる支持部材２０、リング状の支持部材５０または７０を使用したが、本発明は、支持部材として、固着部材に一体的に設けたフック状の部材等、その他の支持部を使用することもできる。即ち、支持部材は、施工面に発泡材料が塗布されて断熱材が形成された後、断熱材の表面側に臨まされた固着部材の取付部に取付けられて、ケーブルまたは管を支持するよう構成する限りにおいて、任意の構成とすることができる。例えば、実施の形態１及び５では、固着部材１０，９０の取付部１２，９２の先端の挿通孔１２a，９２ａが断熱材Ｈの表面から突出し、或いは、断熱材Ｈの内部に位置するが、本発明では、線状素材からなる支持部材２０によりケーブル等を支持できる限りにおいて、固着部材１０，９０の取付部１２，９２の挿通孔１２ａ，９２ａの位置を任意に設定できる。ただし、固着部材１０，９０の取付部１２，９２の先端位置が断熱材Ｈ表面から内方に位置するほど、支持部材２０の長さを大きくする必要がある。同様に、実施の形態２〜４においても、支持部材５０，７０によりケーブル等を支持できる限りにおいて、固着部材４０，６０の取付部４２，７２の先端の位置を任意に設定できる。ただし、固着部材４０，６０の取付部４２，６２の先端位置が断熱材Ｈ表面から内方に位置するほど、支持部材５０，７０の取付側の長さを大きくする必要がある。しかし、支持部材の取付作業性の点から、固着部材１０，４０，６０の取付部１２，４２，６２の先端は、断熱材Ｈの表面付近または表面から突出する位置にくるよう設定するほうが好ましい。一方、上記実施の形態５では、保護カバー１００は、発泡材料の塗布時に取付部９２を保護できる長さであればよく、断熱材Ｈの塗布厚より若干大きな長さ以上の長さとすればよい。
【００３８】
また、本発明では、カバー部材３０，８０を固着部材１０，７０の取付部１２，７２の先端部に着脱自在とするために、例えば実施の形態１のようにカバー部材３０を固着部材１０の取付部１２自体に着脱自在に取付ける以外に、固着部１１等の他の部分に着脱自在に取付けることもできる。或いは、カバー部材３０，８０は、取付部１２，７２に密嵌して手指等により引き抜くことで取付部１２，７２から離脱自在とする以外に、カバー部材３０，８０の一端を取付部１２，７２等に一体形成すると共に、手指等の力によりカバー部材３０，８０の一端を折り取る等して取付部１２，７２等から離脱自在とすることもできる。例えば、カバー３０，８０の基端を薄肉として溝状の折り取り線を設けることにより、カバー部材３０，８０を折り取り自在とすることができる。或いは、カバー部材３０，８０をポリアミド樹脂やポリエチレン樹脂等のフィルム状乃至シート状樹脂により柔軟な筒体（袋体）として構成した場合、かかる保護カバーの基端にミシン目等を設けることにより、カバー部材―３０，８０を取付部等から取外し自在とすることができる。或いは、カバー部材３０，８０は、両面テープ等の粘着手段により、取付部等に着脱自在としてもよい。
【００３９】
更に、カバー部材を固着部材の取付部に外嵌したり掛止したりして着脱自在に取付ける場合、カバー部材は、四角柱状等の所定形状を有する取付部の外形に対応する四角箱状等の所定形状とすることが好ましい。なお、カバー部材を十分な柔軟性（形状追従性）を有する素材により形成した場合、取付部を四角ブロック状等とした場合でも、保護カバーを略円筒状等の他の形状とし、取付部の外周面形状に合致するよう弾性変形して装着することも可能である。また、本発明のカバー部材３０，８０，１００は、ポリイミド樹脂等の合成樹脂材料により、ある程度の剛性を有すると共に弾性により形状復元する筒状に形成することもでき、或いは、ポリアミド樹脂やポリエチレン樹脂等の柔軟材料により、容易に変形して形状復元しない袋状とすることもできる。
【図面の簡単な説明】
【００４０】
【図１】図１は本発明の実施の形態１に係るケーブル・管支持具を分解した状態を示す斜視図である。
【図２】図２は本発明の実施の形態１に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
【図３】図３は本発明の実施の形態２に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
【図４】図４は本発明の実施の形態３に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
【図５】図５は本発明の実施の形態４に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
【図６】図６は本発明の実施の形態５に係るケーブル・管支持具を使用したケーブル・管の支持方法（ケーブル・管支持具の使用方法）を説明するための断面図であり、（ａ）は固着部材の取付部をカバー部材で保護した状態で施工面に固着すると共に断熱材を塗布した状態を示し、（ｂ）は固着部材からカバー部材を取外して支持部材を取付けた状態を示す。
【符号の説明】
【００４１】
１０，４０，６０，９０  固着部材
１１  固着部
１２，４２，６２，９２  取付部
２０，５０，７０  支持部材
３０，８０，１００  カバー部材
４３ｂ  掛止孔（係止部）
６２ａ  雌ねじ（係止部）
Ｈ  断熱材
Ｓ  収容空間
Ｗ  施工面
【図１】
2005172071.tif 000003
【図２】
2005172071.tif 000004
【図３】
2005172071.tif 000005
【図４】
2005172071.tif 000006
【図５】
2005172071.tif 000007
【図６】
2005172071.tif 000008